(57)【要約】【課題】光通信システムに用いられる信号に対するタイミング測定精度を向上させることを目的とする。【解決手段】位相が異なる複数の位相ずれ信号Ｐ０〜Ｐｎを生成する位相ずれ信号発生部２８と、第１信号Ｌ１の取得タイミングを１つの位相ずれ信号を用いて測定する処理を、複数の位相ずれ信号Ｐ０〜Ｐｎのそれぞれについて実行する第１測定部３２と、第２信号Ｌ２の取得タイミングを１つの位相ずれ信号を用いて測定する処理を、複数の位相ずれ信号Ｐ０〜Ｐｎのそれぞれについて実行する第２測定部３４と、各位相ずれ信号について得られた第１信号Ｌ１の各タイミング測定値と、各位相ずれ信号について得られた第２信号Ｌ２の各タイミング測定値とに基づいて、第１信号Ｌ１および第２信号Ｌ２の取得タイミング差を求める演算部３６とを備える。【選択図】図１
2016006402.tif 000002
【特許請求の範囲】
【請求項１】
光通信システムに用いられる時間差測定装置において、
位相が異なる複数の位相ずれ信号を生成する位相ずれ信号発生部と、
第１信号の取得タイミングを１つの位相ずれ信号を用いて測定する処理を、複数の位相ずれ信号のそれぞれについて実行する第１測定部と、
第２信号の取得タイミングを１つの位相ずれ信号を用いて測定する処理を、複数の位相ずれ信号のそれぞれについて実行する第２測定部と、
各位相ずれ信号について得られた前記第１信号の各タイミング測定値と、各位相ずれ信号について得られた前記第２信号の各タイミング測定値と、に基づいて、前記第１信号および前記第２信号の取得タイミング差を求める演算部と、
を備えることを特徴とする時間差測定装置。
【請求項２】
請求項１に記載の時間差測定装置において、
第１光信号および第２光信号を光伝送路から受信する受信部を備え、
前記受信部は、前記第１光信号の受信タイミングに応じて前記第１信号を前記第１測定部に出力し、前記第２光信号の受信タイミングに応じて前記第２信号を前記第２測定部に出力することを特徴とする時間差測定装置。
【請求項３】
請求項１に記載の時間差測定装置において、
第１光信号を光伝送路に送信する送信部と、
前記第１光信号を受信した他ノード装置から送信された第２光信号を、前記光伝送路から受信する受信部と、を備え、
前記送信部は、前記第１光信号の送信タイミングに応じて前記第１信号を前記第１測定部に出力し、
前記受信部は、前記第２光信号の受信タイミングに応じて前記第２信号を前記第２測定部に出力することを特徴とする時間差測定装置。
【請求項４】
請求項１から請求項３のいずれか１項に記載の時間差測定装置において、
前記演算部は、
前記第１信号についての各タイミング測定値を加算合計した値と、前記第２信号についての各タイミング測定値を加算合計した値とに基づいて、前記取得タイミング差を求める時間差決定部を備えることを特徴とする時間差測定装置。
【請求項５】
請求項１から請求項３のいずれか１項に記載の時間差測定装置において、
前記演算部は、
前記第１信号について１つの位相ずれ信号を用いて求められたタイミング測定値と、前記第２信号について１つの位相ずれ信号を用いて求められたタイミング測定値とに基づいて、前記第１信号および前記第２信号の取得タイミング差を求める処理を、複数の位相ずれ信号のそれぞれについて実行するタイミング差測定部と、
複数の位相ずれ信号のそれぞれについて求められた取得タイミング差に基づいて、前記取得タイミング差を求める時間差決定部と、
を備えることを特徴とする時間差測定装置。
【請求項６】
請求項１から請求項５のいずれか１項に記載の時間差測定装置において、
クロック信号を発生するクロック発生器を備え、
前記位相ずれ信号発生部は、ｎを１以上の整数として、
前記クロック信号の１周期の（ｎ＋１）分の１に相当する位相間隔で位相が異なる（ｎ＋１）個の信号を、複数の位相ずれ信号として生成することを特徴とする時間差測定装置。
【発明の詳細な説明】
【技術分野】
【０００１】
本発明は、時間差測定装置に関し、特に、光通信システムに用いられる２つの信号のタイミングを測定する装置に関する。
【背景技術】
【０００２】
光信号によって情報を伝送する光通信システムが広く用いられている。光通信システムでは、複数のノードの間が光伝送路によって接続されている。各ノードは、光伝送路を介して他のノードとの間で光信号を送受信する。
【０００３】
一般に、光伝送路は光ファイバによって構成される。光ファイバは、伝送される光の波長によって伝搬速度が異なるという分散特性を有する。したがって、広がりのある波長スペクトラムを有する光信号が送信側のノードから送信された場合、光信号の各波長成分が受信側に到達するタイミングが波長成分ごとに異なる。そのため、受信側で受信される光信号には歪みが生じ、パルス幅が広がってしまうことがある。そこで、光通信システムを構成するノードには、光伝送路の分散特性を測定するものがある。受信側のノードは、受信された光信号に対して、分散特性に応じて歪み成分を補償する処理を実行する。あるいは、送信側のノードは、分散特性に応じて予め歪み成分を含ませた光信号を送信し、歪み成分が補償された光信号が受信側のノードで受信されるようにする。
【０００４】
以下の特許文献１には、光伝送路の分散特性を測定する技術が記載されている。特許文献１に記載されている光伝送システムでは、光伝送路の伝搬遅延時間を１つの波長成分について測定し、測定結果に基づいて分散特性が求められる。この伝搬遅延時間は、一方のノードから測定用信号が送信された後、測定用信号を受信した他方のノードから測定用信号が返送され、先の一方のノードで測定用信号が受信されるまでの時間に基づいて測定される。また、特許文献１に記載されている別の光伝送システムでは、一方のノードから波長が異なる２つの測定用信号が同時に送信され、他方のノードで２つの光信号が受信される時間差に基づいて分散特性が求められる。
【先行技術文献】
【特許文献】
【０００５】
【特許文献１】特開２００３−１２１３０３号公報
【発明の概要】
【発明が解決しようとする課題】
【０００６】
特許文献１に見られるように、分散特性を測定する技術には、２つのノード間の伝搬遅延時間を光信号の送受信によって測定するものや、測定用の複数の光信号を受信し、その複数の光信号が受信された時間差を測定するものがある。このような技術では、光信号の受信タイミングの測定精度が十分でない場合には、伝送路の分散特性を高精度で求めることが困難である。
【０００７】
本発明は、光通信システムに用いられる信号に対するタイミング測定精度を向上させることを目的とする。
【課題を解決するための手段】
【０００８】
光通信システムに用いられる時間差測定装置において、位相が異なる複数の位相ずれ信号を生成する位相ずれ信号発生部と、第１信号の取得タイミングを１つの位相ずれ信号を用いて測定する処理を、複数の位相ずれ信号のそれぞれについて実行する第１測定部と、  第２信号の取得タイミングを１つの位相ずれ信号を用いて測定する処理を、複数の位相ずれ信号のそれぞれについて実行する第２測定部と、各位相ずれ信号について得られた前記第１信号の各タイミング測定値と、各位相ずれ信号について得られた前記第２信号の各タイミング測定値と、に基づいて、前記第１信号および前記第２信号の取得タイミング差を求める演算部と、を備えることを特徴とする。
【０００９】
望ましくは、第１光信号および第２光信号を光伝送路から受信する受信部を備え、前記受信部は、前記第１光信号の受信タイミングに応じて前記第１信号を前記第１測定部に出力し、前記第２光信号の受信タイミングに応じて前記第２信号を前記第２測定部に出力する。
【００１０】
望ましくは、第１光信号を光伝送路に送信する送信部と、前記第１光信号を受信した他ノード装置から送信された第２光信号を、前記光伝送路から受信する受信部と、を備え、前記送信部は、前記第１光信号の送信タイミングに応じて前記第１信号を前記第１測定部に出力し、前記受信部は、前記第２光信号の受信タイミングに応じて前記第２信号を前記第２測定部に出力する。
【００１１】
望ましくは、前記演算部は、前記第１信号についての各タイミング測定値を加算合計した値と、前記第２信号についての各タイミング測定値を加算合計した値とに基づいて、前記取得タイミング差を求める時間差決定部を備える。
【００１２】
望ましくは、前記演算部は、前記第１信号について１つの位相ずれ信号を用いて求められたタイミング測定値と、前記第２信号について１つの位相ずれ信号を用いて求められたタイミング測定値とに基づいて、前記第１信号および前記第２信号の取得タイミング差を求める処理を、複数の位相ずれ信号のそれぞれについて実行するタイミング差測定部と、  複数の位相ずれ信号のそれぞれについて求められた取得タイミング差に基づいて、前記取得タイミング差を求める時間差決定部と、を備える。
【００１３】
望ましくは、クロック信号を発生するクロック発生器を備え、前記位相ずれ信号発生部は、ｎを１以上の整数として、前記クロック信号の１周期の（ｎ＋１）分の１に相当する位相間隔で位相が異なる（ｎ＋１）個の信号を、複数の位相ずれ信号として生成する。
【発明の効果】
【００１４】
本発明によれば、光通信システムに用いられる信号に対するタイミング測定精度を向上させることができる。
【図面の簡単な説明】
【００１５】
【図１】第１実施形態に係る光通信装置を示す図である。
【図２】位相ずれ信号Ｐ０〜Ｐ７のタイミングを示す図である。
【図３】カウント値ＣＰ０〜ＣＰ７を示す図である。
【図４】第２実施形態に係る光通信装置を示す図である。
【発明を実施するための形態】
【００１６】
図１には本発明の第１実施形態に係る光通信装置１０が示されている。光通信装置１０は、光通信システムのノードを構成する。光通信装置１０は、光ファイバによって構成された光伝送路１６によって他ノード装置１４に接続され、他ノード装置１４との間で光通信を行う。光通信装置１０は、光伝送路１６について予め測定された分散特性によって、後述のように送信信号または受信信号に対し歪み補償処理を実行する。
【００１７】
光通信装置１０は、分散特性を表す分散値を用いる。分散値は、波長スペクトラムの広がりに対する、伝搬遅延時間の広がりとして定義される。分散値を測定する場合、光通信装置１０は、他ノード装置１４から送信された波長が異なる２つの測定用光信号を受信し、これらの測定用光信号の受信タイミング差を測定する。そして、測定された受信タイミング差を、２つの測定用光信号の波長差で割った値を分散測定値とする。
【００１８】
光通信装置１０の各部の構成について説明する。光通信装置１０は、分散測定部１２、信号分離部１８、および光通信部２０を備える。信号分離部１８は光伝送路１６に接続されている。信号分離部１８は、光伝送路１６から受信された光信号のうち波長λ１の光信号および波長λ２の光信号を抽出して、各光信号を分散測定部１２に出力する。また、信号分離部１８は、光伝送路１６から受信された光信号のうち波長λｋの光信号を抽出して、光通信部２０に出力する。さらに、信号分離部１８は、光通信部２０から出力された波長λｊの光信号を光伝送路１６に送信する。波長λｋは、波長λ１または波長λ２に等しくてもよい。この場合、光通信部２０は、信号分離部１８において第１受信部２２または第２受信部２４と共通の出力端子に接続される。同様に、波長λｊもまた、波長λ１または波長λ２に等しくてもよい。
【００１９】
光通信部２０は、他ノード装置１４が光伝送路１６に送信した波長λｋの光信号を信号分離部１８を介して受信する。また、光通信部２０は、波長λｊの信号を信号分離部１８および光伝送路１６を介して他ノード装置１４に送信する。これによって、光通信部２０は他ノード装置１４との間で光通信を行う。
【００２０】
光通信部２０は、分散測定部１２から光伝送路１６の分散測定値νを取得する。そして、分散測定値νに基づく歪み補償処理を実行する。すなわち、光通信部２０は、分散測定値νに応じて、受信された光信号に対して歪み成分を補償する処理を実行する。あるいは、光通信部２０は、歪み成分が補償された光信号が他ノード装置１４で受信されるように、分散測定値νに応じて予め歪み成分を含ませた光信号を送信する。
【００２１】
分散測定値νは、他ノード装置１４から同時に送信された波長が異なる第１測定用光信号および第２測定用光信号を光通信装置１０が受信し、分散測定部１２が、これら２つの測定用光信号が受信された時間差を測定することで求められる。
【００２２】
第１測定用光信号および第２測定用光信号は、光通信部２０が他ノード装置１４に要求信号を送信することで、他ノード装置１４から送信される。また、第１測定用光信号および第２測定用光信号は、他ノード装置１４から所定の周期で送信されてもよい。
【００２３】
分散測定部１２の構成および分散測定部１２が実行する処理について説明する。第１受信部２２は、信号分離部１８から出力された波長λ１の第１測定用光信号を電気信号としての第１信号Ｌ１に変換し、第１信号Ｌ１をカウント部３０における第１測定部３２に出力する。第２受信部２４は、信号分離部１８から出力された波長λ２の第２測定用光信号を電気信号としての第２信号Ｌ２に変換し、第２信号Ｌ２をカウント部３０における第２測定部３４に出力する。
【００２４】
これによって、第１受信部２２は、第１測定用光信号の受信タイミングに応じて第１信号Ｌ１を第１測定部３２に出力し、第１測定部３２は、第１測定用光信号の受信タイミングに応じて第１信号Ｌ１を取得する。また、第２受信部２４は、第２測定用光信号の受信タイミングに応じて第２信号Ｌ２を第２測定部３４に出力し、第２測定部３４は、第２測定用光信号の受信タイミングに応じて第２信号Ｌ２を取得する。
【００２５】
クロック発生器２６はクロック信号Ｃを発生し、位相ずれ信号発生部２８に出力する。位相ずれ信号発生部２８は、クロック信号Ｃに基づいて、位相が異なるｎ＋１個の位相ずれ信号Ｐ０〜Ｐｎを生成し、位相ずれ信号Ｐ０〜Ｐｎをカウント部３０に出力する。位相ずれ信号Ｐ０は、クロック信号Ｃと同一の信号である。位相ずれ信号Ｐ１〜Ｐｎは、Δ＝３６０°／（ｎ＋１）ずつ順に位相がずれた信号である。ただし、クロック信号Ｃの１周期の位相を３６０°としている。
【００２６】
図２には、ｎ＝７の場合について、８相の位相ずれ信号Ｐ０〜Ｐ７のタイミングが示されている。位相ずれ信号Ｐ０は、時間ｔ１、ｔ２、ｔ３、ｔ４・・・・・・において信号レベルが立ち上がる。位相ずれ信号Ｐ１は、位相ずれ信号Ｐ０に対しΔ＝３６０°／（ｎ＋１）＝４５°だけ位相が遅れている。位相ずれ信号Ｐ２は、位相ずれ信号Ｐ１に対しΔ＝４５°だけ位相が遅れている。同様に、位相ずれ信号Ｐ３〜Ｐ７は、それぞれ、位相ずれ信号Ｐ２〜Ｐ６に対しΔ＝４５°だけ位相が遅れている。
【００２７】
カウント部３０は、位相ずれ信号Ｐ０〜Ｐｎのそれぞれに対し、信号レベルが立ち上がる毎にカウント値を１だけ増加させるカウントを実行する。第１測定部３２は、第１信号Ｌ１の信号レベルが立ち上がった時における位相ずれ信号Ｐ０〜Ｐｎのそれぞれのカウント値を、タイミング測定値Ｓ０〜Ｓｎとして演算部３６に出力する。第２測定部３４は、第２信号の信号レベルが立ち上がった時における位相ずれ信号Ｐ０〜Ｐｎのそれぞれのカウント値を、タイミング測定値Ｔ０〜Ｔｎとして演算部３６に出力する。
【００２８】
なお、カウント部３０によるカウントは、例えば、光通信部２０からリセット信号Ｒｓｔがカウント部３０に出力されたときにリセットされ、各カウント値が０となる。リセット信号Ｒｓｔは、光通信部２０が要求信号を他ノード装置１４に送信すると共に、光通信部２０から出力されることとしてもよい。また、カウント部３０は、リセット信号Ｒｓｔによって各カウント値をリセットする代わりに、第１信号Ｌ１の信号レベルの立ち上がりに応じて各カウント値をリセットしてもよい。
【００２９】
図３には、ｎ＝７の場合について、位相ずれ信号Ｐ０〜Ｐ７のそれぞれについてのカウント値ＣＰ０〜ＣＰ７が示されている。この図では、時間ｔ＝ｔ１の直前において位相ずれ信号Ｐ０のカウント値がリセットされて０となっている。位相ずれ信号Ｐ１〜Ｐ７の各カウント値は、位相ずれ信号Ｐ０のカウント値がリセットされた後、４５°ずつ順に遅れてリセットされる。すなわち、位相ずれ信号Ｐ１〜Ｐ７の各カウント値は、それぞれ、位相ずれ信号Ｐ０〜Ｐ６に対し、４５°だけ遅れてリセットされる。
【００３０】
位相ずれ信号Ｐ０のカウント値ＣＰ０は、時間ｔ＝ｔ１に１となり、それ以降１周期が経過する毎に１だけ増加する。位相ずれ信号Ｐ１〜Ｐ７のそれぞれについてのカウント値ＣＰ１〜ＣＰ７は、カウント値ＣＰ０に対して４５°ずつ順に遅れて１だけ増加する。すなわち、カウント値ＣＰ１〜ＣＰ７は、それぞれ、カウント値ＣＰ０〜ＣＰ６に対し、４５°だけ遅れて１だけ増加する。
【００３１】
図３の例では、第１信号Ｌ１は、時間ｔ２と時間ｔ３との間の時間τ１で立ち上がる。第１測定部３２は、時間τ１におけるカウント値ＣＰ０〜ＣＰ７を、それぞれ、タイミング測定値Ｓ０〜Ｓ７として演算部３６に出力する。横長の実線丸印で示されているように、タイミング測定値Ｓ０およびＳ１は２であり、タイミング測定値Ｓ２〜Ｓ７は１である。
【００３２】
第２信号Ｌ２は、時間ｔ３と時間ｔ４との間の時間τ２で立ち上がる。第２測定部３４は、時間τ２におけるカウント値ＣＰ０〜ＣＰ７を、それぞれ、タイミング測定値Ｔ０〜Ｔ７として演算部３６に出力する。横長の破線丸印で示されているように、タイミング測定値Ｔ０〜Ｔ３は３であり、タイミング測定値Ｔ４〜Ｔ７は２である。
【００３３】
演算部３６は、タイミング測定値Ｓ０〜Ｓｎおよびタイミング測定値Ｔ０〜Ｔｎに基づいて、第１信号Ｌ１および第２信号Ｌ２がカウント部３０で取得された時間差を表す取得タイミング差を求める。この取得タイミング差は、第１測定用光信号が受信された時間と、第２測定用光信号が受信された時間との差である、受信タイミング差に相当する。
【００３４】
演算部３６は、第１信号Ｌ１についての各タイミング測定値Ｓ０〜Ｓ７を加算合計した値と、第２信号Ｌ２についての各タイミング測定値Ｔ０〜Ｔ７を加算合計した値とに基づいて、受信タイミング差（カウント部３０における取得タイミング差）を求める時間差決定部を備えている。すなわち、演算部３６は、タイミング測定値Ｓ０〜Ｓｎを加算合計した加算合計値ＳＴ、および、タイミング測定値Ｔ０〜Ｔｎを加算合計した加算合計値ＴＴを求める。そして、加算合計値ＴＴから加算合計値ＳＴを減算して得られる値に、クロック信号Ｃの周期ＴＣＫを乗じた値を受信タイミング差Ｄとして求める。受信タイミング差Ｄは、次の（数１）に基づいて求められる。
【００３５】
【数１】
2016006402.tif 000003
【００３６】
演算部３６は、（数１）の下段の右辺に基づき、次のような演算を実行してもよい。すなわち、演算部３６は、タイミング測定値Ｔｉからタイミング測定値Ｓｉを減算した値を、ｉ＝０からｉ＝ｎのそれぞれについて求め、ｉ＝０からｉ＝ｎまでの各減算値を加算合計し、その加算合計値にクロック信号Ｃの周期ＴＣＫを乗じた値を受信タイミング差Ｄとして求めてもよい。
【００３７】
この場合、演算部３６は、第１信号Ｌ１について１つの位相ずれ信号を用いて求められたタイミング測定値と、第２信号Ｌ２について１つの位相ずれ信号を用いて求められたタイミング測定値とに基づいて、第１信号Ｌ１および第２信号Ｌ２のタイミング差を求める処理を、複数の位相ずれ信号のそれぞれについて実行するタイミング差測定部と、複数の位相ずれ信号のそれぞれについて求められたタイミング差に基づいて、受信タイミング差Ｄを求める時間差決定部と、を備える。
【００３８】
このような処理によれば、第１信号Ｌ１および第２信号Ｌ２の各立ち上がり時間が、クロック信号Ｃの１周期内においてｎ段階の細かさで測定される。したがって、受信タイミング差Ｄは、クロック信号Ｃの１周期のｎ分の１の細かさで測定され、クロック信号Ｃを用いてタイミング測定を行う場合に比べて測定分解能がｎ倍向上する。
【００３９】
演算部３６は、第１測定用光信号の波長λ１、第２測定用光信号の波長λ２、および受信タイミング差Ｄに基づいて、次の（数２）に基づいて分散測定値νを求める。演算部３６は、分散測定値νを光通信部２０に出力する。
【００４０】
【数２】
2016006402.tif 000004
【００４１】
光通信部２０は、上記のように、他ノード装置１４との間で光通信を行うときに、分散測定値νに基づく補償処理を実行する。
【００４２】
本発明の第１実施形態に係る光通信装置１０によれば、光伝送路１６から受信された２つの測定用光信号の受信タイミング差の測定精度が向上する。これによって、光伝送路１６の分散値の測定精度が向上し、歪み補償処理が確実に実行される。
【００４３】
図４には本発明の第２実施形態に係る光通信装置３８が示されている。図１に示されている構成要素と同一の構成要素については、同一の符号を付してその説明を省略する。この光通信装置３８は、光伝送路１６を介して波長λ１の第１測定用光信号を他ノード装置１４に送信する。第１測定用光信号を受信した他ノード装置１４は、波長λ１の第２測定用光信号を光伝送路１６に送信する。光通信装置３８は、第２測定用光信号を受信し、第１測定用光信号を送信してから第２測定用光信号が受信されるまでの応答時間を測定し、応答時間に基づいて光伝送路１６の伝搬時間を求める。光通信装置３８は、伝搬時間に対して分散値を対応付けた特性に基づいて、光伝送路１６の分散測定値νを求める。
【００４４】
分散測定部１３が備える送信部４０は、波長λ１の第１測定用光信号を信号分離部１８および光伝送路１６を介して他ノード装置１４に送信すると共に、第１測定用光信号の送信タイミングに応じたタイミングで、第１信号Ｌ１を第１測定部３２に出力する。また、送信部４０は、第１測定用光信号を送信するタイミングに応じて、リセット信号Ｒｓｔをカウント部３０に出力する。
【００４５】
信号分離部１８は、他ノード装置１４から送信された波長λ１の第２測定用信号を受信部４２に出力する。受信部４２は、信号分離部１８から出力された第２測定用光信号を電気信号としての第２信号Ｌ２に変換し、第２信号Ｌ２を第２測定部３４に出力する。
【００４６】
これによって、送信部４０は、第１測定用光信号の送信タイミングに応じて第１信号Ｌ１を第１測定部３２に出力し、第１測定部３２は、第１測定用光信号の送信タイミングに応じて第１信号Ｌ１を取得する。また、受信部４２は、第２測定用光信号の受信タイミングに応じて第２信号Ｌ２を第２測定部３４に出力し、第２測定部３４は、第２測定用光信号の受信タイミングに応じて第２信号Ｌ２を取得する。
【００４７】
上記の処理と同様の処理によって、カウント部３０はタイミング測定値Ｓ０〜Ｓｎおよびタイミング測定値Ｔ０〜Ｔｎを生成し、演算部３６に出力する。演算部３６は、タイミング測定値Ｓ０〜Ｓｎおよびタイミング測定値Ｔ０〜Ｔｎに基づいて、第１信号Ｌ１および第２信号Ｌ２がカウント部３０で取得された時間差である取得タイミング差を求める。この取得タイミング差は、第１測定用光信号が光伝送路１６に送信されてから、第２測定用光信号が光伝送路１６から受信されるまでの応答時間に応じた時間である。
【００４８】
演算部３６は、他ノード装置１４が第１測定用光信号を受信してから第２測定用光信号を送信するまでの時間や、信号分離部１８からカウント部３０に信号が至るのに要する時間等の誤差要因を応答時間から減算して、光伝送路１６の往復伝搬時間を求める。これらの誤差要因は、予め演算部３６に記憶されている。
【００４９】
演算部３６は、往復伝搬時間の半分の時間を光伝送路１６の伝搬時間として求める。そして、伝搬時間に対して分散値を対応付けた特性に基づいて分散測定値νを求める。この特性は、光伝送路１６について固有の特性であり実験等によって予め求められ、演算部３６に記憶されている。演算部３６は、分散測定値νを光通信部２０に出力する。
【００５０】
本発明の第２実施形態に係る光通信装置３８によれば、第１測定用光信号が光伝送路１６に送信されてから、第２測定用光信号が光伝送路１６から受信されるまでの応答時間の測定精度が向上し、光伝送路１６の伝搬時間の測定精度が向上する。これによって、光伝送路１６の分散値の測定精度が向上し、歪み補償処理が確実に実行される。
【符号の説明】
【００５１】
１０，３８  光通信装置、１２，１３  分散測定部、１４  他ノード装置、１６  光伝送路、１８  信号分離部、２０  光通信部、２２  第１受信部、２４  第２受信部、２６  クロック発生器、２８  位相ずれ信号発生部、３０  カウント部、３２  第１測定部、３４  第２測定部、３６  演算部、４０  送信部、４２  受信部。
【図１】
2016006402.tif 000005
【図２】
2016006402.tif 000006
【図３】
2016006402.tif 000007
【図４】
2016006402.tif 000008